(57)【要約】【課題】既存の飲料缶販売用の自動販売機を用いて、形状が不定形のパック詰め商品をその飲料缶と併せて、あるいはその飲料缶に替えて販売することができる販売用容器を提供する。【解決手段】透明ないしは半透明の合成樹脂で成形された一対の半割品１ａ，１ｂを互いに突き合わせて脱着可能に結合することで、飲料缶用自動販売機での販売が可能な円筒状の販売用容器１とし、この販売用容器１の周面に複数の透孔４を形成し、この販売用容器１の内部に販売用の不定形状のパック詰め商品Ａを収容する。そして、この販売用容器１を飲料缶用自動販売機の商品収納ラック内に収納し、販売用容器１と一体的に内部のパック詰め商品Ａを自動販売機の販売口に排出して販売する。【選択図】    図１
0003147147.tif 000002
【実用新案登録請求の範囲】
【請求項１】
透明ないしは半透明の合成樹脂で成形された一対の半割品を互いに突き合わせて脱着可能に結合することで、飲料缶用自動販売機での販売が可能な円筒状に構成され、周面には複数の透孔が形成され、内部には販売用のパック詰め商品が収容されることを特徴とする自動販売機に用いる販売用容器。
【請求項２】
一対の半割品は、同一の成形金型を用いて成形された同一形状の成形品であることを特徴とする請求項１に記載の自動販売機に用いる販売用容器。
【考案の詳細な説明】
【技術分野】
【０００１】
本考案は、缶コーラ、缶ジュース、缶ビールなどの飲料缶の自動販売機を使用して、その飲料缶と異なる形状の商品をその飲料缶と併せて、あるいはその飲料缶に替えて販売することができる販売用容器に関する。
【背景技術】
【０００２】
一般に、飲料缶を販売する自動販売機は、例えば特開２００３−３４６２３８公報に見られるように、本体内に商品収納ラックが設けられ、この商品収納ラックに円筒状の飲料缶が積み重ねて収納され、その飲料缶が購入用ボタンの操作に応じて順次１個ずつ販売通路を通って販売口に排出され、自動販売機の利用者に販売される。
商品収納ラックは、飲料缶の各サイズ（長さ、直径）に応じた幅の収納空間を有し、そのサイズに応じた収納空間内に所定の飲料缶が収納され、これにより各飲料缶が販売口に円滑に排出される。
ところで、近年、合成樹脂製の軟質のパック内に清涼飲料やゼリー状食品を収容したパック詰め商品が市販され、このようなパック詰め商品を自動販売機で販売することが考えられている。
【特許文献１】特開２００３−３４６２３８公報
【考案の開示】
【考案が解決しようとする課題】
【０００３】
パック詰め商品は、そのパックが軟質の合成樹脂製であり、このため形状が一定でなく種々の形状に変形する。したがってこのパック詰め商品を飲料缶用の自動販売機で販売するようなことは困難である。
【０００４】
パック詰め商品に適応する新たな自動販売機を製作すればその販売が可能であるが、しかし、パック詰め商品に適応する専用の自動販売機を製作するのでは、多大なコストがかかるばかりでなく、その専用の自動販売機を設置するスペースを新たに確保しなければならず、種々の困難が伴うことになる。
そこで、本考案では、既存の飲料缶販売用の自動販売機を用いて、形状が不定形のパック詰め商品をその飲料缶と併せて、あるいはその飲料缶に替えて販売することができる販売用容器を提供しようとするものである。
【課題を解決するための手段】
【０００５】
本考案は、このような目的を達成するために、透明ないしは半透明の合成樹脂で成形された一対の半割品を互いに突き合わせて脱着可能に結合することで、飲料缶用自動販売機での販売が可能な円筒状の販売用容器とし、この販売用容器の周面に複数の透孔を形成し、この販売用容器の内部に販売用のパック詰め商品を収容する。
【０００６】
一対の半割品は、同一の成形金型を用いて同一形状に成形することが好ましい。
【考案の効果】
【０００７】
このような販売用容器を用いることにより、既存の飲料缶用自動販売機において、パック詰め商品をその飲料缶と併せて、あるいはその飲料缶に替えて販売することができる。
販売用容器は透明ないしは半透明の合成樹脂で成形されているから、内部のパック詰め商品を容易に確認することができる。販売用容器の周面には複数の透孔が形成されており、このため自動販売機の本体内に収納されているときに、その本体内の冷却用冷風あるいは加熱用温風が販売用容器内に良好に流入し、したがってその販売用容器内のパック詰め商品を効率よく冷却し、あるいは加温することができる。
【考案を実施するための最良の形態】
【０００８】
以下、本考案の実施の形態について図面を参照して説明する。
【０００９】
図１には、本考案の一実施形態に係る販売用容器１の外観を示してある。この販売用容器１は、全体の形状が円筒状で、飲料缶用自動販売機で扱う飲料缶とほぼ同じサイズ（長さ、直径）に形成されている。そしてこの販売用容器１内に、合成樹脂製の軟質のパック内に清涼飲料やゼリー状食品を収容したパック詰め商品Ａが収容されている。
【００１０】
この販売用容器１は、一対の半割品１ａ，１ｂを分離可能に突き合わせてなる。図２には、その一対の半割品１ａ，１ｂを分離して並べた状態を示してある。各半割品１ａ，１ｂは、透明もしくは半透明の合成樹脂材料により、断面半円形の周壁部２と、この周壁部２の両端部に設けられた半月状の端板部３とを有する中空蒲鉾状に成形されている。
半割品１ａ，１ｂの周壁部２には、多数の透孔４が形成されている。これら透孔４は、子供の指の断面径よりも小さい直径の円形となっている。また、半割品１ａ，１ｂの一方の端板部３の縁部には、屈曲可能な係合舌片５が一体成形され、この係合舌片５に横長状の係合孔６が形成されている。また、半割品１ａ，１ｂの他方の端板部３には、前記係合孔６と係脱可能な係合爪７が形成されている。
さらに、半割品１ａ，１ｂにおける周壁部２の両縁部には、一方の端板部３から一定の区間の部分に、周壁部２の内側から断面Ｌ状に凹む嵌合段部８ａが形成されているとともに、他方の端板部３から一定の区間の部分に、前記嵌合段部８ａに嵌合可能な形状の嵌合突起８ｂが一体に突出形成されている。
【００１１】
一方の半割品１ａと他方の半割品１ｂは、これら半割品１ａ，１ｂを上下反転して向かい合わせたときに、図２に示すように一方の半割品１ａの係合舌片５が他方の半割品１ｂの係合爪７に、他方の半割品１ｂの係合舌片５が一方の半割品１ａの係合爪７にそれぞれ対応して配置し、さらに一方の半割品１ａの各嵌合段部８ａが他方の半割品１ｂの各嵌合突起８ｂに、他方の半割品１ｂの各嵌合段部８ａが一方の半割品１ａの各嵌合突起８ｂにそれぞれ対応して配置するようになっている。
すなわち、一方の半割品１ａと他方の半割品１ｂは、同一の成形金型を用いて成形された同一形状の成形品であり、これら半割品１ａ，１ｂを上下反転して図２に示すように左右に並べたときに、その双方の半割品１ａ，１ｂの形状が互いに点対称となる関係にある。
【００１２】
販売用容器１内にパック詰め商品Ａを収容するときには、まず分離している一方の半割品１ａ内にパック詰め商品Ａを収容する。そして一方の半割品１ａと他方の半割品１ｂとを上下反転して向い合わせるとともに、一方の半割品１ａの各嵌合段部８ａを他方の半割品１ｂの各嵌合突起８ｂに、一方の半割品１ａの各嵌合突起８ｂを他方の半割品１ｂの各嵌合段部８ａにそれぞれ嵌め合わせて両半割品１ａ，１ｂを突き合わせ、さらに一方の半割品１ａの係合舌片５の係合孔６を他方の半割品１ｂの係合爪７に、他方の半割品１ｂの係合舌片５の係合孔６を一方の半割品１ａの係合爪７にそれぞれ係合して両半割品１ａ，１ｂを結合する。これにより、内部にパック詰め商品Ａが収容された販売用容器１が組み立てられる。
このように組み立てた販売用容器１は、飲料缶用自動販売機の商品収納ラック内に収納して販売する。販売用容器１は、飲料缶用自動販売機に適合するサイズに形成されているから、その自動販売機の商品収納ラック内に適正に収納して販売時には円滑に販売口に排出させることができる。
自動販売機の収納ラック内に収納された販売用容器１は、冷却装置による冷風で冷却され、あるいは加温装置による温風で加温されるが、販売用容器１の周面には、多数の透孔４が形成されており、このためその透孔４を通して販売用容器１内に冷風や温風が良好に流れ込み、したがってその内部のパック詰め商品Ａを効率よく冷却し、あるいは加温することができる。
【００１３】
自動販売機の販売口に販売用容器１が排出されたときには、自動販売機の利用者がこれを販売口から取り出す。販売用容器１は、透明もしくは半透明の合成樹脂で形成されており、したがって販売用容器１内のバック詰め商品Ａをその販売用容器１を通して容易に確認することができる。
【００１４】
販売用容器１を販売口から取り出した後には、利用者が販売用容器１の各係合舌片５と係合爪７との係合を外して販売用容器１を各半割品１ａ，１ｂに分解して内部のパック詰め商品Ａを取り出す。
【００１５】
販売用容器１の周面には透孔４が形成されているが、その各透孔４は、子供の指の外径よりも小さい大きさであり、このため子供がいたずらで透孔４に指先を差し込んで抜けなくなるような危険を防止することができる。
【００１６】
自動販売機の脇には販売用容器１の回収用ボックスを設置しておき、利用者が分解した販売用容器１の各半割品１ａ，１ｂをその回収用ボックスに投入するように案内する。そして、自動販売機の商品販売管理者がその回収用ボックス内の各半割品１ａ，１ｂを定期的に回収し、その回収した各半割品１ａ，１ｂをリサイクル使用する。
【００１７】
リサイクル使用に際しては、回収用ボックス内に乱雑に投入された半割品１ａ，１ｂを取り出し一対ずつを組み合わせて販売用容器１として組み立てるわけであるが、各半割品１ａ，１ｂが同一形状の成形品であるから、特別な選び分けを要することなく、多数のなかから任意の一対の半割品１ａ，１ｂを取り出して組み合わせるだけで、容易に能率よく販売用容器１を組み立てることができる。
【００１８】
また、販売用容器１を構成する一対の半割品１ａ，１ｂが同一形状の成形品であるから、これらを単一の成形金型を用いて成形でき、したがって製造コストを軽減できる利点がある。
【図面の簡単な説明】
【００１９】
【図１】本考案の一実施形態に係る販売用容器を示す斜視図。
【図２】その販売用容器の分解状態の斜視図。
【符号の説明】
【００２０】
１…販売用容器
１ａ．１ｂ…半割品
２…周壁部
３…端板部
４…透孔
５…係合舌片
６…係合孔
７…係合爪
８ａ…嵌合段部
８ｂ…嵌合突起
【図１】
0003147147.tif 000003
【図２】
0003147147.tif 000004